(57)【要約】【課題】ターンテーブルの防振性能を維持するとともに、ディスク未装着状態時のクランプ音を大きくすることなく適切なクランプ力が得られるディスク装置の提供。【解決手段】ディスク装置に、ディスク装着状態時にクランパ２５を付勢するクランパスプリング８１と、台座部２１が押し込まれた際に押し返す台座スプリング８３と、を設けた。このため、クランパ２５を磁石吸引力Ｆ２とクランパスプリング弾性力Ｆ３とによりターンテーブル２４に押し付けるとともに台座スプリング弾性力Ｆ４により台座部２１を押し返すので、フロートゴム２１１を撓ませることなく、クランパスプリング弾性力Ｆ３と磁石吸引力Ｆ２とをあわせたクランプ力で光ディスク１をクランプできる。磁石吸引力のみでクランプ力を得る構成と比べて磁石吸引力Ｆ２を小さくすることができ、ディスク未装着状態時のクランプ音を小さくできる。【選択図】図３
2009199646.tif 000002
【特許請求の範囲】
【請求項１】
シャーシと、
弾性変形可能な防振部材を介して前記シャーシに取り付けられた台座部と、
この台座部に取り付けられ、軸孔を有するディスク状記録媒体が載置されるターンテーブルと、
このターンテーブルに係脱可能に設けられ、前記ターンテーブルとにより前記ディスク状記録媒体を挟持するクランパと、
前記台座部を前記クランパに対して遠近させることで前記ターンテーブルを前記クランパに係脱させる台座遠近手段と、を具備し、
前記ターンテーブルは、前記ディスク状記録媒体の軸孔に挿脱可能な略柱状の嵌挿部と、この嵌挿部に設けられた第一磁性体と、を備え、
前記クランパは、前記第一磁性体との間で磁力を発生させる第二磁性体と、前記嵌挿部の軸方向一端部に係脱可能な凹状に形成された挿入部を有し前記第二磁性体を保持するクランパ本体部と、を備えているディスク装置であって、
前記ターンテーブルと前記クランパとによりディスク状記録媒体が挟持された際に前記クランパを前記ターンテーブルの方向に付勢する第一付勢手段と、
この第一付勢手段の付勢力で前記台座部が付勢された際にこの付勢方向と略反対側に前記台座部を付勢する第二付勢手段と、
を具備したことを特徴とするディスク装置。
【請求項２】
請求項１に記載のディスク装置において、
前記第二付勢手段は、前記ターンテーブルを挟んで前記クランパと略対向する位置に設けられた
ことを特徴とするディスク装置。
【発明の詳細な説明】
【技術分野】
【０００１】
本発明は、ディスク装置に関する。
【背景技術】
【０００２】
従来、例えばＤＶＤ（Digital Versatile Disk）やＣＤ（Compact Disc）等のディスクを再生あるいは記録するディスク装置が広く利用されている。このようなディスク装置には、通常、ディスクを保持するためのクランプ装置が設けられている。そして、クランプ装置において、ばねを用いてクランパをターンテーブルに押し付けることでディスク状記録媒体をクランプする構成が知られている（例えば、特許文献１，２参照）。
【０００３】
特許文献１に記載のものは、光ディスク装置の開閉蓋に設けられたディスク押圧部と、このディスク押圧部を付勢する押圧ばねと、を備えている。そして、光ディスクの装着時に、ディスク押圧部の回転部材が押圧ばねにより光ディスクを上面から押圧する構成が採られている。
特許文献２に記載のものは、クランパを支持するフォーク部を有する板ばねを備えている。そして、光ディスクの保持時に、クランパがばねから下方への押圧力を受けて、光ディスクをターンテーブル上に押し付ける構成が採られている。
【０００４】
しかしながら、特許文献１，２に記載のようなばねの弾性力のみで付勢する構成では、ディスク状記録媒体を高速回転させたときにターンテーブル上でスリップ（ディスクスリップ）してしまうおそれがある。そこで、高速回転でもディスクスリップしないような大きなクランプ力（クランパとターンテーブルとでディスク状記録媒体を挟持する力）を得るために、上述のばねの弾性力と磁力とを利用する構成が検討されている（例えば、特許文献３，４参照）。
【０００５】
特許文献３に記載のものは、一端部がクランパプレート上に固定されるとともに他端部がクランパＡの頂点に当接する弾性部材を備えている。また、スピンドルモータが配置されたシャーシ四隅は、防振ゴムを介してエレベータに取り付けられている。そして、この弾性部材でクランパＡをスピンドルモータ側に付勢することで、ディスクをクランパＢとスピンドルモータでチャッキングする。さらに、マグネットの吸引力でディスクをチャッキングする構成が採られている。
特許文献４に記載のものは、クランパのホルダ板金から飛び出す凸部と、ディスク装着時に凸部と当接するクランパ保持板とを備えている。また、ターンテーブルを有するトラバースには、外部振動を吸収するフローティングゴムが設けられている。そして、クランパ保持板により凸部を弱い弾性力で付勢し、さらにマグネットとヨーク板の磁力を利用して、ディスクをターンテーブルに押し付ける構成が採られている。
【０００６】
【特許文献１】特開平１０−３７１８号公報
【特許文献２】特開２０００−３６１４９号公報
【特許文献３】特開２００３−９１９０４号公報
【特許文献４】特開２００５−３３２４５６号公報
【発明の開示】
【発明が解決しようとする課題】
【０００７】
しかしながら、特許文献３，４に記載のような構成では、ばね弾性力によりフローティングゴムなどが撓んでターンテーブルが沈んでしまい、必要なクランプ力を得ることができないおそれがある。このようなターンテーブルの沈み込みを回避しつつ必要なクランプ力を得るために、フローティングゴムの硬度を高くする構成や、ばね弾性力を利用せずに磁力を大きくする構成が考えられる。しかしながら、フローティングゴムの硬度を高くする構成では、所定の振動に対する撓み量が小さくなりターンテーブルに対する防振性能が落ちてしまうおそれがある。また、磁力を大きくする構成では、ディスク状記録媒体を挟持しないときのクランパとターンテーブルとの衝突音（以下、クランプ音と称す）が大きくなってしまうおそれがある。
【０００８】
本発明は、このような点などに鑑みて、ターンテーブルに対する防振性能を維持するとともに、ディスク状記録媒体の未装着時のクランプ音を大きくすることなく適切なクランプ力が得られるディスク装置を提供することを１つの目的とする。
【課題を解決するための手段】
【０００９】
請求項１に記載の発明は、シャーシと、弾性変形可能な防振部材を介して前記シャーシに取り付けられた台座部と、この台座部に取り付けられ、軸孔を有するディスク状記録媒体が載置されるターンテーブルと、このターンテーブルに係脱可能に設けられ、前記ターンテーブルとにより前記ディスク状記録媒体を挟持するクランパと、前記台座部を前記クランパに対して遠近させることで前記ターンテーブルを前記クランパに係脱させる台座遠近手段と、を具備し、前記ターンテーブルは、前記ディスク状記録媒体の軸孔に挿脱可能な略柱状の嵌挿部と、この嵌挿部に設けられた第一磁性体と、を備え、前記クランパは、前記第一磁性体との間で磁力を発生させる第二磁性体と、前記嵌挿部の軸方向一端部に係脱可能な凹状に形成された挿入部を有し前記第二磁性体を保持するクランパ本体部と、を備えているディスク装置であって、前記ターンテーブルと前記クランパとによりディスク状記録媒体が挟持された際に前記クランパを前記ターンテーブルの方向に付勢する第一付勢手段と、この第一付勢手段の付勢力で前記台座部が付勢された際にこの付勢方向と略反対側に前記台座部を付勢する第二付勢手段と、を具備したことを特徴とするディスク装置である。
【発明を実施するための最良の形態】
【００１０】
以下、本発明の一実施形態を図面に基づいて説明する。
本実施形態では、ディスク状記録媒体としての光ディスクに情報を記録および読み出す処理装置であるディスク装置を例示して説明する。なお、例えば携帯型のディスク装置を備えた映像データの録画などの記録や再生のための処理をする再生装置、記録装置あるいはゲーム機など、光ディスクに限らず、磁気ディスク、光磁気ディスクなどのいずれの記録媒体に各種情報を記録、あるいは読み出すいずれのディスク装置を対象とすることができる。また、記録媒体としては、ＣＤ（Compact Disc）、ＤＶＤ（Digital Versatile Disc）、ＢＤ（Blu-ray Disc：ブルーレイディスク）、ＨＤ−ＤＶＤ（High Definition DVD）などが例示できる。
【００１１】
［ディスク装置の構成］
〔全体の構成〕
まず、本発明の一実施形態に係るディスク装置の全体の構成について説明する。
図１は、本発明の一実施形態に係るディスク装置の全体の概略構成を示す分解斜視図である。
図１において、ディスク装置１００は、金属製のケース体１０を有している。このケース体１０は、下面および前面が２面に亘って開口する上ケース１１と、この上ケース１１の下面を閉塞する下ケース１２と、上ケース１１の前面を閉塞する化粧板１３とを有している。
上ケース１１には、略円形状のクランパスプリング挿通孔１１Ａが開口形成されている。そして、上ケース１１には、略正方形板状に形成され、クランパスプリング挿通孔１１Ａを閉塞するカバー押さえ部材１４が取り付けられている。化粧板１３には、窓部１３Ａが開口形成されている。
【００１２】
また、ケース体１０には、合成樹脂製の枠体１５が設けられている。この枠体１５は、上ケース１１、下ケース１２および化粧板１３とにてケース体１０を構成する。
また、枠体１５には、この枠体１５の開口面を略閉塞する状態で固定されるクランパ支持部材１７が設けられている。このクランパ支持部材１７には、後述の回転駆動手段２３のターンテーブル２４に対向する位置に支持孔１７１が開口形成されている。この支持孔１７１の周縁には、支持孔１７１を閉塞する状態で略円板状のクランパ２５が回転可能に載置されている。このクランパ２５とカバー押さえ部材１４との間には、第一付勢手段としてのクランパスプリング８１と、一面が閉塞された略円筒状のクランパカバー８２と、が設けられる。
【００１３】
枠体１５には、本体部２０が配設されている。この本体部２０は、例えば金属製の平板枠状に形成された台座部２１を有している。この台座部２１は、一縁が上下方向に回動可能に他縁が枠体１５に取り付けられている。具体的には、台座部２１の他縁は、防振部材としてのフロートゴム２１１を介して枠体１５に取り付けられている。
また、枠体１５と台座部２１との間には、台座部２１の一縁に沿ってフロートベース２２が取り付けられている。このフロートベース２２は、台座部２１の一縁に沿った長手状の取付保持部２２１と、この取付保持部２２１の長手方向の両端部に略垂直に一体的に突設された一対の回動腕部２２２とを有している。
取付保持部２２１には、台座部２１の一縁の両端側がフロートゴム２１１を介して取り付けられている。一対の回動腕部２２２は、その先端が枠体１５に回動可能に軸支される。そして、台座部２１は、フロートベース２２により、回動が案内される。
ここで、枠体１５と、フロートベース２２とにて本発明のシャーシが構成されている。
さらに、台座部２１には、ターンテーブル２４を有する回転駆動手段２３と、ピックアップ３１と、このピックアップ３１を移動させる処理移動手段３２と、が配設されている。
【００１４】
そして、枠体１５には、水平方向に進退可能に移動するディスクトレイ５０が配設されている。このディスクトレイ５０は、略長方形板状に形成され、光ディスク１が載置されるトレイ部５１を有している。そして、このトレイ部５１の一縁には、化粧板１３の窓部１３Ａを閉塞する窓閉塞板部５２が取り付けられている。
【００１５】
また、枠体１５には、ディスクトレイ５０を搬入出移動させる台座遠近手段としての開閉駆動手段６０が配設されている。この開閉駆動手段６０は、ギヤ、プーリ、無端ベルトなどを備えた駆動伝達部６１と、モータとしての出入用電動モータ６４と、を備えている。そして、開閉駆動手段６０は、出入用電動モータ６４の駆動により、駆動伝達部６１を介してディスクトレイ５０を化粧板１３の窓部１３Ａから進退させる。
また、開閉駆動手段６０は、枠体１５の幅方向に沿って移動可能に配設された移動カム６８を有している。この移動カム６８は、フロートベース２２の図示しない係合ピンに係合する図示しないリンク溝が設けられている。そして、移動カム６８は、出入用電動モータ６４が駆動して駆動伝達部６１が駆動すると枠体１５の幅方向に沿って移動し、係合ピンをリンク溝に沿って移動させることで台座部２１をクランパ２５に対する進退方向である上下方向に回動させる。つまり、本発明における台座部をクランパに対して遠近させるとは、台座部２１をクランパ２５に対する進退方向である上下方向に回動させる、すなわち接近/離反させることを意味している。また、枠体１５には、回路基板７０が係脱可能に取り付けられている。
【００１６】
〔要部の構成〕
次に、ディスク装置１００の要部の構成について説明する。なお、以下において、光ディスク１が装着されていない状態をディスク未装着状態と、装着されている状態をディスク装着状態と、適宜称して説明する。
図２は、ディスク未装着状態におけるディスク装置の要部の概略構成を示す断面図である。図３は、ディスク装着状態におけるディスク装置の要部の概略構成を示す断面図である。
【００１７】
図２および図３に示すように、回転駆動手段２３は、ターンテーブル２４と、このターンテーブル２４を回転させるモータ２６と、を備えている。
ターンテーブル２４は、略円板状に形成され、光ディスク１の軸孔１Ａに嵌挿する略柱状の嵌挿部２４１と、この嵌挿部２４１の軸方向の一端側外周に外方に向けて鍔状に突設され光ディスク１を載置する載置部２４２とを有している。嵌挿部２４１の先端には、第一磁性体としての磁石２４３が埋設されている。
モータ支持板２１２が取り付けられたモータ２６は、台座部２１に固定され、クランパ２５と対向する位置に設けられている。
【００１８】
また、台座部２１が固定されるフロートベース２２は、モータ支持板２１２の下方に位置するフロートベース底面部２２３を備えている。このフロートベース底面部２２３とモータ支持板２１２との間には、第二付勢手段としての台座スプリング８３が配設されている。この台座スプリング８３は、台座部２１に下側への付勢力が作用しておらずフロートゴム２１１が撓んでいないときに縮まずに、下側への付勢力が作用してフロートゴム２１１が撓んだときに縮む形状に形成されている。また、台座スプリング８３は、ターンテーブル２４を挟んでクランパ２５と略対向する位置に設けられている。
【００１９】
また、カバー押さえ部材１４の略中央には、略球状に凹むカバー係合凹部１４Ａが設けられている。
略円板状に形成されたクランパ２５は、合成樹脂製のクランパ本体部２５１と、クランパ本体部２５１に保持され、磁石２４３との間で磁力を発生させる金属板などの略板状の第二磁性体としてのクランパプレート２５２とを備えている。
クランパ本体部２５１は、嵌挿部２４１の軸方向の他端部が挿脱可能とされた凹状の挿入部２５１Ａと、この挿入部２５１Ａの開口縁に外方に向けて鍔状に突設され、載置部２４２とにて光ディスク１を挾持する挟持部２５１Ｂと、挟持部２５１Ｂの周縁に外方に向けて鍔状に突設されたフランジ部２５１Ｃと、を有している。また、挿入部２５１Ａは、その周面を形成する側壁部２５１Ｄと、底面を形成する底部２５１Ｅと、を有している。底部２５１Ｅは、図２に示すように、ディスク未装着状態の場合にターンテーブル２４の磁石２４３と接触し、このときの磁石２４３とクランパプレート２５２との距離が未装着時距離Ｐ１になるように構成されている。つまり、底部２５１Ｅの厚さ寸法は、未装着時距離Ｐ１に設定されている。また、底部２５１Ｅの厚さ寸法は、磁石２４３とクランパプレート２５２との間の磁力の吸引力（以下、磁力吸引力）のみでクランプ力を得る構成の底部と比べて大きく設定されている。
クランパプレート２５２は、略円板状に形成され、その一面がクランパ本体部２５１の底部２５１Ｅに接触する状態で設けられている。
【００２０】
クランパカバー８２の一面の略中央には、カバー係合凹部１４Ａに係合する略球状のカバー係合凸部８２１が設けられている。このクランパカバー８２は、カバー係合凸部８２１とカバー係合凹部１４Ａとの係合により、カバー押さえ部材１４に対して回転可能に設けられている。
クランパスプリング８１は、軸方向の一端側がクランパプレート２５２に当接し、他端側がクランパカバー８２内に位置する状態で設けられている。このクランパスプリング８１は、図２に示すようなディスク未装着状態でありクランパ２５の底部２５１Ｅと磁石２４３とが接触しているときに縮まずに、図３に示すようなディスク装着状態でありクランパ２５とターンテーブル２４との間に光ディスク１が存在しているときに縮む形状に形成されている。
そして、光ディスク１が例えば再生されるときにターンテーブル２４およびクランパ２５が回転すると、クランパスプリング８１およびクランパカバー８２も回転する。
【００２１】
［ディスク装置の動作］
次に、ディスク装置１００の動作について説明する。
【００２２】
まず、ディスク未装着状態のときの動作について説明する。
光ディスク１が載置されていない状態でディスクトレイ５０がディスク装置１００内に搬入されると、台座部２１が上昇し、これとともに回転駆動手段２３も上昇する。
そして、ターンテーブル２４の磁石２４３と、クランパ２５のクランパプレート２５２との間に発生した磁力によりターンテーブル２４がクランパ２５側に吸引され、図２に示すように、未装着時距離Ｐ１に対応する下方への磁石吸引力Ｆ１により底部２５１Ｅと磁石２４３とが密着する。また、上述したようにディスク未装着状態ではクランパスプリング８１が縮まないため、台座部２１が押し込まれることがなく台座スプリング８３も縮まない。つまり、ディスク未装着状態では、ターンテーブル２４には、磁石吸引力Ｆ１のみが作用する。
【００２３】
次に、ディスク装着状態のときの動作について説明する。
ディスクトレイ５０に載置された光ディスク１がディスク装置１００内に搬入されると、台座部２１が上昇し、これとともに回転駆動手段２３も上昇し、ターンテーブル２４の嵌挿部２４１に光ディスク１の軸孔１Ａが嵌挿するとともに、載置部２４２に光ディスク１が載置される。
そして、磁石２４３とクランパプレート２５２との間に発生した磁力によりターンテーブル２４がクランパ２５側に吸引され、図３に示すように、磁石２４３とクランパプレート２５２との距離に対応する下方への磁石吸引力Ｆ２により光ディスク１が挟持される。ここで、磁石２４３とクランパプレート２５２との距離（以下、装着時距離と称す）Ｐ２は、光ディスク１の厚さ寸法と、未装着状態時における挟持部２５１Ｂおよび載置部２４２の隙間寸法との差（以下、装着時増加寸法と称す）に、未装着時距離Ｐ１を加えた長さとなり、ディスク未装着状態のときと比べて長い。このため、磁石吸引力Ｆ２の大きさは、磁石吸引力Ｆ１よりも小さくなる。
【００２４】
また、光ディスク１が挟持されると、クランパ２５の上方に位置するクランパスプリング８１が装着時増加寸法だけ縮む。そして、この縮みに伴い発生する弾性力（以下、クランパスプリング弾性力と称す）Ｆ３によりクランパ２５が下方に付勢され、ターンテーブル２４などが取り付けられている台座部２１も下方に付勢される。また、台座部２１が下方に押し込まれると台座スプリング８３が縮み、この縮みに伴い発生する弾性力（以下、台座スプリング弾性力と称す）Ｆ４により台座部２１が上方に押し返される。このため、フロートゴム２１１が撓むことがない。
つまり、クランパスプリング弾性力Ｆ３と等しい大きさの台座スプリング弾性力Ｆ４が略反対の方向に作用することで台座部２１の沈み込みが防止されつつ、クランパスプリング弾性力Ｆ３と、磁石吸引力Ｆ２とをあわせたクランプ力で光ディスク１が挟持される。
【００２５】
［ディスク装置の作用］
次に、本発明の効果を確認するための実験に基づいて、上記ディスク装置１００の作用について説明する。
図４は、実験方法を示す説明図である。図５は、実施例１，２および比較例のクランパにおける動作時間とクランプ音の音量との関係を示すグラフである。図６は、実施例１，２および比較例のクランパにおける動作時間とアンクランプ音の音量との関係を示すグラフである。
【００２６】
〔サンプルの構成〕
図４に示すような実験に用いた実施例１のクランパ９０１として、図２に示すように底部２５１Ｅの厚さ寸法が未装着時距離Ｐ１のものを適用した。
また、実施例２のクランパ９０２として、底部２５１Ｅの厚さ寸法が未装着時距離Ｐ１よりも０．３ｍｍ小さいものを適用した。
さらに、比較例のクランパ９０３として、底部２５１Ｅの厚さ寸法が未装着時距離Ｐ１よりも０．５ｍｍ小さいものを適用した。ここで、比較例のクランパ９０３は、クランパスプリング８１および台座スプリング８３が設けられておらず磁力吸引力のみでクランプ力を得る構成に適用されるものである。
【００２７】
〔実験方法〕
図４に示すように、無響室において、実施例１のクランパ９０１とターンテーブル２４とを備えたディスク装置９００を載置台９５１に載置した。また、測定器９５２に接続されたマイク９５３を、実施例１のクランパ９０１の中心までの距離が３００ｍｍとなる位置に吊り下げた。なお、ディスク装置９００は、クランパスプリング８１および台座スプリング８３を備えていない点を除いて、上記実施形態のディスク装置１００と同様の機構を備えている。
そして、ディスク装置９００にディスク未装着状態時におけるディスクトレイの搬入動作を実施させて、動作開始からの経過時間と、ターンテーブル２４とクランパ２５とが密着するときのクランプ音との関係を調べた。また、この状態から、ディスクトレイの搬出動作を実施させて、動作開始からの経過時間と、ターンテーブル２４とクランパ２５とが離れるときのアンクランプ音との関係を調べた。実施例２，比較例のクランパ９０２，９０３についても同様の関係を調べた。
【００２８】
〔実験結果〕
図５および図６に示すように、クランプ音およびアンクランプ音は、比較例のクランパ９０３、実施例２のクランパ９０２、実施例１のクランパ９０１の順で小さくなっていることが確認できた。特に、実施例１のクランパ９０１のクランプ音は、比較例のクランパ９０３に比べて約１０ｄＢも小さいことが確認できた。また、実施例１のクランパ９０１のアンクランプ音は、比較例のクランパ９０３に比べて約６ｄＢも小さいことが確認できた。
これは、磁石２４３とクランパプレート２５２との距離が長いほど磁力吸引力が小さくなり、ターンテーブル２４とクランパ２５との密着時あるいは離間時の衝撃が小さくなるためと考えられる。
以上のことから、磁力吸引力のみでクランプ力を得る構成と比べて磁力吸引力を小さくすると、ディスク未装着状態時におけるクランプ音およびアンクランプ音を小さくできることが確認できた。
【００２９】
［ディスク装置の作用効果］
上述したように、上記実施形態では、以下のような効果を奏することができる。
【００３０】
（１）ディスク装置１００に、ディスク装着状態時にクランパ２５をターンテーブル２４の方向に付勢するクランパスプリング８１と、このクランパスプリング８１の付勢力でターンテーブル２４が設けられた台座部２１が押し込まれた際にこの押し込み方向と略反対側に台座部２１を押し返す台座スプリング８３と、を設けている。
このため、クランパ２５を磁石吸引力Ｆ２とクランパスプリング弾性力Ｆ３とによりターンテーブル２４に押し付けるとともに、台座スプリング弾性力Ｆ４により台座部２１を押し返すので、フロートゴム２１１を撓ませることなく、クランパスプリング弾性力Ｆ３と、磁石吸引力Ｆ２とをあわせたクランプ力で光ディスク１をクランプすることができる。したがって、ターンテーブル２４に対する防振性能を維持しつつ、高速回転に必要なクランプ力を得ることができる。
また、クランパスプリング弾性力Ｆ３をクランプ力として利用するため、磁石吸引力のみでクランプ力を得る構成と比べて磁石吸引力Ｆ２を小さくすることができ、ディスク未装着状態時におけるクランプ音やアンクランプ音を小さくすることができる。
さらに、磁石吸引力Ｆ２を小さくできるので、クランパ２５からターンテーブル２４を引き剥がす力を小さくすることができ、台座部２１を引き降ろす駆動源となる出入用電動モータ６４の力を小さくできる。
そして、ターンテーブル２４の仕様最高回転数に応じて底部２５１Ｅの厚さ寸法を設定することで、クランプ力とクランプ音との関係を調整することができる。
【００３１】
（２）台座スプリング８３を、ターンテーブル２４を挟んでクランパ２５と略対向する位置に設けている。
このため、ターンテーブル２４におけるクランパスプリング弾性力Ｆ３で付勢される位置と略等しい位置に、クランパスプリング弾性力Ｆ３と略反対の方向に付勢するための台座スプリング弾性力Ｆ４を作用させることができ、台座スプリング弾性力Ｆ４の付勢力を大きくしなくても、台座部２１を効率的に押し返すことができる。
【００３２】
（３）本発明の第一，第二付勢手段として、一般的に安価で構成が簡単なクランパスプリング８１、台座スプリング８３を適用している。
このため、ディスク装置１００のコストダウンや組立性向上を容易に図ることができる。
【００３３】
［他の実施形態］
なお、本発明は前述の一実施形態に限定されるものではなく、本発明の目的を達成できる範囲での変形、改良等は本発明に含まれるものである。
【００３４】
すなわち、台座スプリング８３をモータ支持板２１２と当接する状態で設けたが、台座部２１に直接当接する状態で設けてもよいし、モータ支持板２１２と当接していてもターンテーブル２４を挟んでクランパ２５と略対向しない位置に設けてもよい。
また、図７〜図１０に示すような構成としてもよい。
【００３５】
図７に示す構成では、台座スプリング８３の代わりに、２個の第二付勢手段としての台座板ばね８４Ａを設けている。そして、台座板ばね８４Ａは、一端側がフロートベース底面部２２３に固定され、他端側がモータ支持板２１２に当接し、台座部２１が押し込まれた際に台座部２１を押し返す。
図８に示す構成では、クランパプレート２５２およびクランパスプリング８１の代わりに、第二磁性体としてのクランパプレート２５３Ａおよび１０個の第一付勢手段としてのクランパスプリング８５Ａを設けている。クランパプレート２５３Ａの一面には、１０個のクランパスプリング８５Ａが係合するスプリング係合部２５３Ａ１が設けられている。そして、クランパスプリング８５Ａは、ディスク装着状態時にクランパ２５をターンテーブル２４の方向に付勢する。
【００３６】
図９に示す構成では、クランパスプリング８１の代わりに、第一付勢手段としてのクランパ板ばね８５Ｂを設けている。クランパ板ばね８５Ｂの一端側には、クランパ本体部２５１の略中央の凹部２５１Ｆに係合する略半球状のばね突部８５Ｂ１が設けられている。そして、クランパ板ばね８５Ｂは、一端側のばね突部８５Ｂ１が凹部２５１Ｆに回転可能に係合し、他端側がカバー押さえ部材１４に固定され、ディスク装着状態時にクランパ２５をターンテーブル２４の方向に付勢する。
図１０に示す構成では、図９に示すクランパ板ばね８５Ｂの代わりに、第一付勢手段としてのクランパスプリング８５Ｃを設けている。このクランパスプリング８５Ｃの一端には、凹部２５１Ｆに係合する略球状のばね球状係合部８５Ｃ１が設けられている。そして、クランパスプリング８５Ｃは、一端側のばね球状係合部８５Ｃ１が凹部２５１Ｆに回転可能に係合し、他端側がカバー押さえ部材１４に固定され、ディスク装着状態時にクランパ２５をターンテーブル２４の方向に付勢する。
【００３７】
その他、本発明の実施の際の具体的な構造および手順は、本発明の目的を達成できる範囲で他の構造などに適宜変更できる。
【００３８】
［実施形態の作用効果］
上述したように、ディスク装置１００に、ディスク装着状態時にクランパ２５をターンテーブル２４の方向に付勢するクランパスプリング８１と、このクランパスプリング８１の付勢力で台座部２１が押し込まれた際に台座部２１を押し返す台座スプリング８３と、を設けている。
このため、クランパ２５を磁石吸引力Ｆ２とクランパスプリング弾性力Ｆ３とによりターンテーブル２４に押し付けるとともに、台座スプリング弾性力Ｆ４により台座部２１を押し返すので、フロートゴム２１１を撓ませることなく、クランパスプリング弾性力Ｆ３と、磁石吸引力Ｆ２とをあわせたクランプ力で光ディスク１をクランプすることができる。したがって、ターンテーブル２４に対する防振性能を維持しつつ、高速回転に必要なクランプ力を得ることができる。また、クランパスプリング弾性力Ｆ３をクランプ力として利用するため、磁石吸引力のみでクランプ力を得る構成と比べて磁石吸引力Ｆ２を小さくすることができ、ディスク未装着状態時におけるクランプ音やアンクランプ音を小さくすることができる。
【図面の簡単な説明】
【００３９】
【図１】本発明の一実施形態に係るディスク装置の全体の概略構成を示す分解斜視図である。
【図２】前記一実施形態におけるディスク未装着状態におけるディスク装置の要部の概略構成を示す断面図である。
【図３】前記一実施形態におけるディスク装着状態におけるディスク装置の要部の概略構成を示す断面図である。
【図４】前記一実施形態におけるディスク装置の効果を確認するための実験方法を示す説明図である。
【図５】実施例１，２および比較例のクランパにおける動作時間とクランプ音の音量との関係を示すグラフである。
【図６】実施例１，２および比較例のクランパにおける動作時間とアンクランプ音の音量との関係を示すグラフである。
【図７】本発明の他の実施形態に係るディスク装置の要部の概略構成を示す断面図である。
【図８】本発明のさらに他の実施形態に係るディスク装置の要部の概略構成を示す分解斜視図である。
【図９】本発明のさらに他の実施形態に係るディスク装置の要部の概略構成を示す断面図である。
【図１０】本発明のさらに他の実施形態に係るディスク装置の要部の概略構成を示す断面図である。
【符号の説明】
【００４０】
１…ディスク状記録媒体としての光ディスク
１Ａ…軸孔
１５…シャーシを構成する枠体
２１…台座部
２２…シャーシを構成するフロートベース
２４…ターンテーブル
２５…クランパ
６０…台座遠近手段としての開閉駆動手段
８１，８５Ａ，８５Ｃ…第一付勢手段としてのクランパスプリング
８３…第二付勢手段としての台座スプリング
８４Ａ…第二付勢手段としての台座板ばね
８５Ｂ…第一付勢手段としてのクランパ板ばね
１００…ディスク装置
２１１…防振部材としてのフロートゴム
２４１…嵌挿部
２４３…第一磁性体としての磁石
２５１…クランパ本体部
２５１Ａ…挿入部
２５２，２５３Ａ…第二磁性体としてのクランパプレート
【図１】
2009199646.tif 000003
【図２】
2009199646.tif 000004
【図３】
2009199646.tif 000005
【図４】
2009199646.tif 000006
【図５】
2009199646.tif 000007
【図６】
2009199646.tif 000008
【図７】
2009199646.tif 000009
【図８】
2009199646.tif 000010
【図９】
2009199646.tif 000011
【図１０】
2009199646.tif 000012